(57)【要約】【課題】記録環境が変化した際に行うレーザー強度調整（ＯＰＣ処理）の短時間化を図り、リアルタイム記録を好適に実現する。【解決手段】レーザー強度を段階的に変えたテスト信号を光ディスクに記録し、光ディスクに記録されたテスト信号を再生し、再生信号から当該光ディスクの記録特性を取得する。記録特性を取得する際に、記録特性を２回に分けて取得する。１回目はデータ記録前に行い、２回目は記録途中に少ない測定点で短時間で行う。１回目に取得した記録特性１０１と２回目に取得した記録特性１０２とから新たな記録特性１０２ａを合成する。新たな記録特性１０２ａに基づき、記録用レーザー強度を最適化する。【選択図】図１
2006024246.tif 000002
【特許請求の範囲】
【請求項１】
光ディスクに対する記録用レーザー強度の調整方法において、
レーザー強度を段階的に変えたテスト信号を光ディスクに記録し、
該光ディスクに記録されたテスト信号を再生し、
該再生された信号から当該光ディスクの記録特性を取得する際に、
レーザー強度の異なる１以上の測定点に対する記録特性をある記録環境において１回目の記録特性として取得し、それと異なる記録環境において、１回目の測定点数よりも少ない測定点数において２回目の記録特性として取得し、上記１回目と２回目の記録特性から、上記異なる記録環境における新たな記録特性を求め、
該新たな記録特性に基づき、当該光ディスクに照射する記録用レーザー強度を最適化することを特徴とするレーザー強度の調整方法。
【請求項２】
請求項１記載のレーザー強度の調整方法において、
前記光ディスクは、同一媒体中に複数層の記録面を有する多層媒体であり、
前記１回目の記録特性は第１層目のデータ領域にデータを記録する前に第１層目のテスト用領域から取得し、前記２回目の記録特性は、異なる層のデータ領域にデータを記録する時点で該異なる層のテスト用領域から取得することを特徴とするレーザー強度の調整方法。
【請求項３】
請求項１記載のレーザー強度の調整方法において、
前記光ディスクは、同一記録面内に記録速度の異なる複数の記録ゾーンを有する媒体であり、
前記１回目の記録特性は第１ゾーンのデータ領域にデータを記録する前に第１ゾーンのテスト用領域から取得し、前記２回目の記録特性は、異なるゾーンのデータ領域にデータを記録する時点で該異なるゾーンのテスト用領域から取得することを特徴とするレーザー強度の調整方法。
【請求項４】
請求項１記載のレーザー強度の調整方法において、
前記１回目に取得した記録特性を、前記２回目に取得した記録特性に外挿または内挿することにより、新たな記録特性を求めることを特徴とするレーザー強度の調整方法。
【請求項５】
請求項１ないし４のいずれかに記載のレーザー強度の調整方法において、
前記記録特性を取得する際、前記１回目の測定時間よりも２回目の測定時間が短いことを特徴とするレーザー強度の調整方法。
【請求項６】
光ディスクにレーザーを照射して信号を記録再生する光ディスク記録再生装置において、
光ディスクに記録するテスト信号となるレーザーを発光するレーザー発光手段と、
該レーザー発光手段の発光するレーザー強度を制御するレーザー強度制御手段と、
光ディスクに照射されたレーザーの反射戻り光を検出する検出手段と、
該検出手段で検出したテスト信号を解析して当該光ディスクの記録特性を取得する信号解析手段と、を有し、
該信号解析手段は、レーザー強度の異なる１以上の測定点に対する記録特性をある記録環境において１回目の記録特性として取得し、それと異なる記録環境において、１回目の測定点数よりも少ない測定点数において２回目の記録特性として取得し、上記１回目と２回目の記録特性から、上記異なる記録環境における新たな記録特性を求め、
上記レーザー強度制御手段は、上記信号解析手段により取得した新たな記録特性に基づき、当該光ディスクに照射する記録用レーザー強度を最適化することを特徴とする光ディスク記録再生装置。
【請求項７】
請求項６記載の光ディスク記録再生装置において、
前記光ディスクは、同一媒体中に複数層の記録面を有する多層媒体であり、
前記１回目の記録特性は第１層目のデータ領域にデータを記録する前に第１層目のテスト用領域から取得し、前記２回目の記録特性は、異なる層のデータ領域にデータを記録する時点で該異なる層のテスト用領域から取得することを特徴とする光ディスク記録再生装置。
【請求項８】
請求項６記載の光ディスク記録再生装置において、
前記光ディスクは、同一記録面内に記録速度の異なる複数の記録ゾーンを有する媒体であり、
前記１回目の記録特性は第１ゾーンのデータ領域にデータを記録する前に第１ゾーンのテスト用領域から取得し、前記２回目の記録特性は、異なるゾーンのデータ領域にデータを記録する時点で該異なるゾーンのテスト用領域から取得することを特徴とする光ディスク記録再生装置。
【請求項９】
請求項６記載の光ディスク記録再生装置において、
前記信号解析手段は、前記１回目に取得した記録特性を、前記２回目に取得した記録特性に外挿または内挿することにより、新たな記録特性を求めることを特徴とする光ディスク記録再生装置。
【請求項１０】
請求項６ないし９のいずれかに記載の光ディスク記録再生装置において、
前記信号解析手段は、前記光ディスクの記録特性として、前記テスト信号の非対称性を示すβ値＝（Ａ１＋Ａ２）／（Ａ１−Ａ２）（ここにＡ１は再生信号のエンベロープの上限値、Ａ２は下限値）を用いることを特徴とする光ディスク記録再生装置。
【発明の詳細な説明】
【技術分野】
【０００１】
本発明は、半導体レーザーを用いて光ディスクに信号を記録する際の、レーザー強度の調整方法及び光ディスク記録再生装置に関するものである。
【背景技術】
【０００２】
ＣＤ−Ｒ／ＲＷ、ＤＶＤ±Ｒ／ＲＷ、ＤＶＤ−ＲＡＭなどの光学式ディスク状記録媒体（以下、光ディスク）を用いてデータ記録を行う記録再生装置では、半導体レーザーから発生されたレーザー光を、光ディスク上の記録面に照射、集光させ、その熱エネルギーにて記録面の物理的性状を変化させることで記録マークを形成するものである。
【０００３】
ここで使用される光ディスクは、製造メーカーによって、レーザー強度に対する記録面の記録感度にばらつきがあり記録特性が異なる。また、同一ディスクでも、周辺温度などの記録状況の変化によって記録特性が異なるので、光ディスク全面について一定の強度でレーザー光を照射しても、最適な記録が行われるとは限らない。
【０００４】
そこで、記録再生品質を高めるために、データ記録開始前に、レーザー光の照射強度を最適な値に設定するためのレーザー強度調整（以下ＯＰＣ：Ｏｐｔｉｍｕｍ  Ｐｏｗｅｒ  Ｃａｌｉｂｒａｔｉｏｎ）が行われている。例えば、ＤＶＤ−Ｒの場合、ディスク内周領域にＯＰＣ領域が設けられている。ユーザーデータ記録領域にデータを記録する前に、先ずこのＯＰＣ領域にて所定パターンのテスト信号をレーザー強度を段階的に変えて記録し、その再生信号の品質から、当該光ディスクに対する最適なレーザー照射強度を求めている。
【０００５】
このＯＰＣを行う方法として、非特許文献１の標題“Ｏｐｔｉｍｕｍ  Ｐｏｗｅｒ  Ｃｏｎｔｒｏｌ”には、実際の記録機で再生信号の非対称性（β値）を用いたＯＰＣの手順が示されている。最適記録パワーは、異なる記録パワーを持つ８／１６変調データをテスト記録し、その結果のＨＦ信号の非対称性を測定することにより求める。非対称性を表すのに実用的なパラメータとして、
β＝（Ａ１＋Ａ２）／（Ａ１−Ａ２）      （１）
を用いる。ここに、（Ａ１＋Ａ２）はＨＦ信号のピークレベルＡ１とＡ２との差、（Ａ１−Ａ２）はＨＦ信号のピーク・ピーク値である。
【０００６】
最適記録パワーは、ジッタが最小化する条件である。通常は非対称性βがゼロに近いポイントでジッタは最小化するが、それからずれる場合には目標β値を設定して、これが得られる条件から最適記録パワーを求める。
【０００７】
また特許文献１には、ＣＤ−Ｒにおける目標β値への設定方法が記載されている。
【０００８】
【非特許文献１】“８０ｍｍ（１．２３  Ｇｂｙｔｅｓ  ｐｅｒ  ｓｉｄｅ）  ａｎｄ  １２０ｍｍ（３．９５  Ｇｂｙｔｅｓ  ｐｅｒ  ｓｉｄｅ）  ＤＶＤ−Ｒｅｃｏｒｄａｂｌｅ  Ｄｉｓｋ  （ＤＶＤ−Ｒ）”  Ｓｔａｎｄａｒｄ  ＥＣＭＡ−２７９（Ｄｅｃｅｍｂｅｒ  １９９８）
【特許文献１】特開平１１−３５３６８６号公報
【発明の開示】
【発明が解決しようとする課題】
【０００９】
近年光ディスクは、書き込み速度の高倍速化、大容量化のため、１枚のディスクを複数のゾーンに分け、異なる書き込み速度で記録するゾーンＣＬＶ（Ｃｏｎｓｔａｎｔ  Ｌｉｎｅａｒ  Ｖｅｌｏｃｉｔｙ）記録や、１枚のディスクに２つの記録層を持ち、２つの面に記録可能な２層記録（デュアルレイヤー）といった記録方法が登場してきた。
【００１０】
通常、ＯＰＣ処理は記録開始前に行われ、最適なレーザー強度を決定するが、複数のゾーンを持つディスクに対してはゾーン毎に記録速度が異なるため、ゾーン毎にＯＰＣを行う必要がある。また２つ以上の記録面を持つ多層ディスクの場合も、記録面毎に記録感度が異なるため、記録面毎にＯＰＣを行う必要がある。
【００１１】
このように、ＯＰＣ処理は記録速度、媒体の記録層、周辺環境などの記録環境に応じて最適なレーザー強度を決定するためには必要不可欠の処理であるが、反面、ＯＰＣ処理を行うことにより記録時間に冗長な時間を含むことになる。
【００１２】
特に、ＤＶ（Ｄｉｇｉｔａｌ  Ｖｉｄｅｏ）カメラやビデオデッキなどから動画をキャプチャしながらリアルタイムで光ディスクへ書き込んだり、ＴＶ番組を録画する等のＡＶ（Ａｕｄｉｏ＆Ｖｉｓｕａｌ）用途では、リアルタイム記録が要請される。この場合には、記録途中にＯＰＣ処理の工程が入ると、記録処理が間に合わず、動画等の記録が中断したり場合によっては一部が欠落する恐れがある。
【００１３】
本発明は、記録環境が変化した際に行うレーザー強度調整（ＯＰＣ処理）の短時間化を図り、リアルタイム記録を好適に実現することを目的とする。
【課題を解決するための手段】
【００１４】
本発明による記録用レーザー強度の調整方法は、レーザー強度を段階的に変えたテスト信号を光ディスクに記録し、光ディスクに記録されたテスト信号を再生し、再生された信号から当該光ディスクの記録特性を取得する。記録特性を取得する際に、レーザー強度の異なる１以上の測定点に対する記録特性をある記録環境において１回目の記録特性として取得し、それと異なる記録環境において、１回目の測定点数よりも少ない測定点数において２回目の記録特性として取得する。１回目と２回目の記録特性から、異なる記録環境における新たな記録特性を求める。新たな記録特性に基づき、当該光ディスクに照射する記録用レーザー強度を最適化する。
【００１５】
ここに前記光ディスクは、同一媒体中に複数層の記録面を有する多層媒体であり、前記１回目の記録特性は第１層目のデータ領域にデータを記録する前に第１層目のテスト用領域から取得し、前記２回目の記録特性は、異なる層のデータ領域にデータを記録する時点で該異なる層のテスト用領域から取得する。
【００１６】
または前記光ディスクは、同一記録面内に記録速度の異なる複数の記録ゾーンを有する媒体であり、前記１回目の記録特性は第１ゾーンのデータ領域にデータを記録する前に第１ゾーンのテスト用領域から取得し、前記２回目の記録特性は、異なるゾーンのデータ領域にデータを記録する時点で該異なるゾーンのテスト用領域から取得する。
【００１７】
本発明による光ディスク記録再生装置は、光ディスクに記録するテスト信号となるレーザーを発光するレーザー発光手段と、レーザー発光手段の発光するレーザー強度を制御するレーザー強度制御手段と、光ディスクに照射されたレーザーの反射戻り光を検出する検出手段と、検出手段で検出したテスト信号を解析して当該光ディスクの記録特性を取得する信号解析手段とを有する。信号解析手段は、レーザー強度の異なる１以上の測定点に対する記録特性をある記録環境において１回目の記録特性として取得し、それと異なる記録環境において、１回目の測定点数よりも少ない測定点数において２回目の記録特性として取得し、１回目と２回目の記録特性から、異なる記録環境における新たな記録特性を求める。レーザー強度制御手段は、信号解析手段により取得した新たな記録特性に基づき、当該光ディスクに照射する記録用レーザー強度を最適化する。
【発明の効果】
【００１８】
本発明によれば、記録環境が変化した際に行うレーザー強度調整（ＯＰＣ処理）の短時間化を図り、リアルタイム記録を好適に実現することができる。
【発明を実施するための最良の形態】
【００１９】
図２は、本発明による光ディスク記録再生装置の一実施例を示すブロック図である。この装置では、レーザー光２０６を記録可能な光ディスク２１５の記録面２１４に照射、集光し記録再生を行う。光ディスク２１５はスピンドルモータ２１６で回転させる。
【００２０】
レーザー駆動装置２０１は、レーザーダイオード２０７の駆動電流を制御し、レーザー発光パワーを制御する。また、記録信号に応じレーザー駆動電流をスイッチングし、所定の記録パルス波形を生成する。レーザーダイオード２０７から発光されたレーザー光２０６は、ビームスプリッター２０８により２つの光束に分けられる。一方はフロントモニター２１２に入力し、他方は立ち上げプリズム２０９で光路変更し、対物レンズ２１０により集光する。集光された光束は、記録面２１４上に焦点を結び、この点において記録再生を行う。ムービングコイル２１１は、記録面にレーザー光の焦点を合わせるためのフォーカシング補正用コイルと、ピット列に沿って信号を読み取るために半径方向に微調整を行うトラッキング補正用コイルからなる。
【００２１】
記録面からの反射光は、再び対物レンズ２１０、立ち上げプリズム２０９により戻り、ビームスプリッター２０８に入射する。ビームスプリッター２０８から検出器２１３へ光が入力され、光ディスクからの戻り光を検出し電気信号に変える。これをプリアンプ２０４で増幅、信号処理部２０５により信号処理を行う。信号処理部２０５では再生信号を２値化し、デジタルデータに復調し再生データを得る。
【００２２】
記録時のレーザー強度の調整（ＯＰＣ）において、レーザーダイオード２０７の出射出力は、フロントモニター２１２により電気信号に変え、パワーモニター回路２０３でレーザー強度を測定する。また光ディスクからの戻り光は、検出器２１３により電気信号に変え、プリアンプ２０４、信号処理部２０５で再生信号レベルを測定する。コントローラ２０２はこれらの測定値を取り込み、レーザーダイオード２０７の最適記録パワーを求めるとともに、レーザー駆動系を最適に制御する。信号処理部２０５で処理されたデータは、一時記憶手段２１６で一時的に貯えられる。マイコン２１７は、装置全体を統括し、ホスト２１８は、光ディスク記録再生装置に対してデータの入出力を要求する。
【００２３】
図３は、光ディスクフォーマットの構成例を示したものである。ここでは、ＤＶＤ＋Ｒ  ２層媒体（デュアルレイヤー）の場合を示す。レーザー光の照射側から見て表面側にある第１層目のレイヤー０（以下Ｌ０層）と、奥側にある第２層目のレイヤー１（以下Ｌ１層）からなる。
【００２４】
Ｌ０層は、ディスク内周から外周に向かって、内周ドライブ領域３０１、リードイン３０２、データ領域３０３、ミドルゾーン０（３０４）、外周ドライブ領域３０５からなる。内周ドライブ領域３０１は、イニシャル領域３０６、内周テスト領域３０７、カウント領域３０８、内周カウント領域３０９、内周管理領域３１０、ＴＯＣ領域３１１からなる。ＯＰＣで使用されるパワー調整領域は、内周テスト領域３０７である。
【００２５】
外周側の外周ドライブ領域３０５は、外周管理領域３１２、外周カウント領域３１３、外周テスト領域３１４、ガード領域３からなる。ＯＰＣで使用されるパワー調整領域は、外周テスト領域３１４である。ＯＰＣを行う際は、内周テスト領域３０７、外周テスト領域３１４共に、ディスクの外周から内周方向へ記録が行われる。
【００２６】
Ｌ１層においてもＬ０層と同様にＯＰＣを行うパワー調整領域が存在し、内周ドライブ領域３１６と、外周ドライブ領域３２０が対応する。
【００２７】
図４は、ＤＶＤ＋Ｒ  ２層媒体の２層記録方法を説明する図である。符号４０１はＥｎｄ＿Ｌ０であり、Ｌ０層の最終アドレスである。このＥｎｄ＿Ｌ０はユーザーが指定可能である。Ｅｎｄ＿Ｌ０を境界としてＬ０層からＬ１層へと記録層を切り替え、符号４０２のようにデータの記録がなされる。
【００２８】
次に、記録パワーの最適化であるＯＰＣ処理について説明する。特許文献１にも記載されるように、記録パワーの最適化は、再生信号の非対称性（β値）から判定する。パワー調整領域において記録パワー値を段階的に変えて記録し、その後、記録を行った箇所の再生信号であるＨＦ（Ｈｉｇｈ  Ｆｒｅｑｕｅｎｃｙ）信号を測定して、前記式（１）よりβ値を求める。すなわち、再生信号の非対称性を示すβ値＝（Ａ１＋Ａ２）／（Ａ１−Ａ２）（ここにＡ１は再生信号のエンベロープの上限値、Ａ２は下限値）を用いて、ディスクの記録特性の評価を行う。
【００２９】
図５は、記録パワー値と再生信号の非対称性（β値）との関係の典型的な一例を示す図である。記録パワーは、媒体の種別毎に対して予め想定している基準パワー［ｍＷ］を１００％とし、６０％〜１３５％まで５％刻みで、合計１６回、パワーを段階的に変えて記録を行った時のβ値をプロットしている。これにより、β値の特性を示す近似曲線５０１が得られる。そして、目標となるβ値５０２が得られるような記録パワー値を最適記録パワーとする。
【００３０】
ここでＤＶＤ＋Ｒ  ２層媒体に対するＯＰＣ処理方法を説明するが、本実施例の方法を説明する前に、従来の手順を説明する。
【００３１】
まず記録開始時点（記録開始直前）に夫々の層に対してＯＰＣ処理が必須であり、図３におけるＬ０層に対してＯＰＣ処理を行う。図５で説明したように、例えばパワーを１セクタ（セクタとはデータ記録の最小単位の２ｋＢのデータ）単位で、１６回段階的に変化させる場合は、合計１６セクタ分の書き込み時間を要する。また、書き込んだ信号のβ値を求めるために、更に１６セクタ分の再生時間が必要である。Ｌ０層のＯＰＣ処理が終わると、２層目のＬ１層も同様にＯＰＣ処理が行われる。２つの層へのＯＰＣ処理が終了してからＬ０層のデータ領域３０３へのデータ記録、及びＬ１層のデータ領域３１８へのデータ記録が行われる。
【００３２】
ここで、半導体レーザーの特性の影響を考慮せねばならない。レーザー強度は、電流値で制御しているが、周辺温度や半導体レーザーの劣化等によって、照射するパワー効率が変化する。周辺温度が高温になると、同じ制御電流でもレーザー強度は低下する。つまり、Ｌ０層へのデータ記録開始時点からＬ１層へのデータ記録開始時点まで、時間経過（Ｌ０層へのデータ記録時間）があり、その間に温度変化又は半導体レーザーの劣化等が発生する可能性がある。Ｌ０層の記録開始時点に実施したＬ１層のＯＰＣ処理で得られた電流設定は、Ｌ１層へのデータ記録開始時点では、もはや最適な値ではなくなっている恐れがある。よって、再びＬ１層へのＯＰＣ処理が必要となる。
【００３３】
よって２層媒体の記録面切り替えの際、従来は、図６のように２回のＯＰＣ処理６０１，６０２を行っていた。２回目のＯＰＣ処理６０２においても、１回目と同様に測定点を選んでいる。Ｌ０層への記録開始時点に実施したＬ１層へのＯＰＣで得られたβ値特性が曲線６０１に対し、Ｌ０層へのデータ記録終了後、Ｌ１層記録開始時点に再度行ったＯＰＣで得られるβ値特性は曲線６０２のように変動する。その結果、目標β値を直線６０３で示されるレベル（この場合β＝４％と仮定）に設定したとき、曲線６０１に基づく最適パワー設定値は９５％に対し、再度得た曲線６０２に基づく最適パワー設定値は１０５％に変化する。もし、パワー設定値を９５％のまま記録を行うとパワー不足となり、記録品質の低下や読み出し不可となる恐れがある。
【００３４】
Ｌ１層記録開始時点において、ＯＰＣ処理が必要かどうかを、周辺の温度変化を監視して判断しても良い。周辺の温度変化がない場合は、Ｌ０層記録開始時点に行ったＯＰＣ処理結果で得られたパワー設定を利用すれば良いが、ＯＰＣ処理が必要と判断された場合は、Ｌ１層記録開始時点で再度Ｌ１層に対してＯＰＣ処理を行う必要がある。
【００３５】
しかし、リアルタイム記録の途中では、データ記録以外のＯＰＣ処理に許される時間に制限があり、時間内にＯＰＣ処理ができないとデータ欠落などの支障がでる可能性がある。
【００３６】
以下に述べる本実施例の方法によれば、この問題を解決することができる。
【００３７】
図１は、本発明による光ディスクのレーザー強度調整方法の一実施例を示す図である。横軸に記録パワー、縦軸に非対称性（β値）を示す。曲線１０１は、１回目のＯＰＣ処理として、Ｌ０層へのデータ記録開始時点に実施したＬ１層へのＯＰＣ処理で得られたβ値特性である。１回目のＯＰＣ処理では、測定点を例えば１６箇所（●印で示す）とし、パワーを広範囲で小刻みに変化させている。
【００３８】
曲線１０２は、２回目のＯＰＣ処理として、Ｌ０層へのデータ記録終了後、Ｌ１層へのデータ記録開始時点に再度実施したＬ１層へのＯＰＣ処理で得られたβ値特性である。２回目のＯＰＣ処理は、１回目のＯＰＣ処理から所定時間経過し、周囲温度等の記録環境が異なる。２回目のＯＰＣ処理では処理時間（測定時間）短縮のため、測定点を例えば４箇所（○印で示す）に減らし、測定範囲も狭くしている。
【００３９】
２回目のβ値特性の測定範囲は狭いので、図のように、直線１０３で示される目標β値のレベル（例えば４％レベル）が含まれないことがある。その場合には、１回目のＯＰＣ処理で得られたβ値特性、すなわち曲線１０１を利用して目標β値の得られる記録パワーを求める。具体的には、２回目の測定領域から外れた外側領域については、曲線１０１を横軸方向に平行移動した曲線１０２ａ（点線で示す）にて外挿する。このように合成された新たな曲線から目標β値に対する記録パワーを求める。この場合は、記録パワー１０５％を最適点（◎印で示す）に設定する。この操作は、β値特性を近似式で表現し、式の平行移動による新たな近似式を求め、その式から目標β値に対する最適記録パワーの算出を数学的処理により実行することができる。
【００４０】
図１にて曲線１０１から曲線１０２へβ値特性が変化するのは、周囲温度の変化によるレーザー強度の効率が低下したためであり、ディスク媒体の記録パワーに対する基本特性（曲線の形状）は同じ傾向と見てよい。従って、上記横軸方向に平行移動して外挿して求めた結果は、図６の従来方法にて全点再測定して求める場合とほとんど差がない。
【００４１】
これにより、再度詳細なＯＰＣ処理を行うことなく、目標β値に対する記録パワーを簡便に求めることが可能となる。すなわち２回目のＯＰＣ処理は測定時間が短く、また同一領域に対しそれ以上（３回目）のＯＰＣ処理をやり直す必要がない。
【００４２】
図７は、上記した本実施例のレーザー強度調整方法のフローチャートを示すものである。Ｌ１層に対しては、ステップ７０２で事前に１回目の詳細なＯＰＣ処理を行い、図１の記録特性曲線１０１を取得しておく。そして、Ｌ１層へのデータ記録が開始される直前のステップ７０５で測定点を減らした２回目のＯＰＣ処理を行い、記録特性曲線１０２を取得する。ステップ７０６では、両者の特性曲線１０１、１０２を用いて（例えば外挿して）Ｌ１層の新たな特性曲線１０２ａを合成する。ステップ７０７では合成した特性曲線に基づいて、目標β値１０３に対する最適記録パワーを求める。
【００４３】
本実施例によれば、リアルタイム記録中において、記録領域が例えばＬ０層からＬ１層へ記録が切り替わる際、ＯＰＣ処理が必要な場合でも短時間でＯＰＣ処理を行うことが可能となる。よって、リアルタイム記録の妨げにはならず、好適な動作を継続できる。
【００４４】
図１の実施例の変形例として、各種可能である。まず、２回目のＯＰＣ処理において測定点の数は４箇所とし、測定間隔を逆に広げても良い。その場合は、１回目のＯＰＣ処理で得られた曲線１０１を平行移動し、２回目のＯＰＣ処理で得られた曲線に内挿することで、目標β値に対する記録パワーを求めることができる。
【００４５】
また、１回目と２回目のＯＰＣ処理における測定点の数は、上記の例に限らないことは言うまでもない。極端な例として、２回目の測定点を１点だけとしても、外挿することで可能である。
【００４６】
また、１回目のＯＰＣ処理と２回目のＯＰＣ処理を、同じＬ１層について実施したが、１回目のＯＰＣ処理はこれ以外の領域を用いても可能である。１回目のＯＰＣ処理をディスク内の特性を代表する領域、例えばＬ０層について実施し、２回目の簡便なＯＰＣ処理をこれからデータ記録開始するＬ１層へ実施しても良い。なぜなら、ディスク媒体の記録パワーに対する基本特性は、記録領域が異なっても同じ傾向を示すと見られるからである。
【００４７】
これ以外にも１回目のＯＰＣ処理と２回目の簡便なＯＰＣ処理との組み合わせは、記録倍速、媒体の記録層、周辺環境等の記録環境の変更に対して、各種可能である。要するに、これらの条件が変更しても、媒体固有の記録感度の基本特性（特性曲線の形状）は不変であり、代表となる基本特性の曲線を１度取得しておけば、後はこれを平行移動すれば良い。
【００４８】
例えば、多層ディスクの層間ジャンプの時ではなく、１枚の媒体をゾーン毎に分け、夫々のゾーンで書き込み速度が異なるゾーンＣＬＶ記録における、書き込み速度が異なるゾーン境界におけるＯＰＣ処理の際にも有効である。
【００４９】
さらに本実施例では、ＯＰＣ処理として、再生信号の非対称性（β値）をパラメータとして最適値を求める場合を説明したが、これに限らない。再生信号のジッタ特性と相関のある他のパラメータに着目しても、同様に適用できる。
【図面の簡単な説明】
【００５０】
【図１】本発明による光ディスクのレーザー強度調整方法の一実施例を示す図。
【図２】本発明による光ディスク記録再生装置の一実施例を示すブロック図。
【図３】光ディスクフォーマットの構成例（２層媒体）を示す図。
【図４】２層媒体の２層記録方法を説明する図。
【図５】記録パワー値と再生信号の非対称性（β値）との関係の一例を示す図。
【図６】２層媒体における従来のレーザー強度調整方法の一例を示す図。
【図７】図１のレーザー強度調整方法のフローチャートを示す図。
【符号の説明】
【００５１】
１０１…１回目のＯＰＣ（レーザー強度調整）で得られた記録特性、１０２…２回目のＯＰＣで得られた記録特性、２０１…レーザー駆動装置、２０２…コントローラ、２０３…パワーモニター回路、２０４…プリアンプ、２０５…信号処理部、２０６…レーザー光、２０７…レーザーダイオード、２１０…対物レンズ、２１１…ムービングコイル、２１２…フロントモニター、２１３…検出器、２１４…記録面、２１５…光ディスク、２１６…スピンドルモータ、３０１，３１６…内周ドライブ領域、３０５，３２０…外周ドライブ領域、３０７…内周テスト領域、３１４…外周テスト領域。
【図１】
2006024246.tif 000003
【図２】
2006024246.tif 000004
【図３】
2006024246.tif 000005
【図４】
2006024246.tif 000006
【図５】
2006024246.tif 000007
【図６】
2006024246.tif 000008
【図７】
2006024246.tif 000009